(57)【要約】  【課題】  円盤状、直方体状等の形状をなすリムーバルハードディスク等の記録媒体を装填可能なディスクサーバ等の記録媒体装填装置において、装置の寸法に関する設計の自由度を高めることが可能な記録媒体装填装置を提供する。  【解決手段】  リムーバルハードディスク等の記録媒体２０を装填可能な装填トレイ等の装填ユニット１と、該装填ユニット１を引出可能に収容する筐体２とを備え、前記装填ユニット１は、記録媒体２０を装填する挿入口５が開設され、引出方向に平行な装填面を備え、前記挿入口５から記録媒体２０を装填する装填方向は、前記装填面に対して傾斜している。【選択図】      図１
2007048333.tif 000002
【特許請求の範囲】
【請求項１】
記録媒体を装填することが可能で、装填された記録媒体に対して情報の記録／読取を行う記録媒体装填装置において、
記録媒体を装填する挿入口が開設された装填面を備え、
前記挿入口からの記録媒体の装填方向は、前記装填面に対して傾斜している
ことを特徴とする記録媒体装填装置。
【請求項２】
記録媒体の装填が可能な装填ユニットと、該装填ユニットを引出可能に収容する筐体とを備え、装填された記録媒体に対して情報の記録／読取を行う記録媒体装填装置において、
前記装填ユニットは、記録媒体を装填する挿入口が開設され、引出方向に平行な装填面を備え、
前記挿入口からの記録媒体を装填する装填方向は、前記装填面に対して、装填ユニットを押し込む方向へ傾斜している
ことを特徴とする記録媒体装填装置。
【請求項３】
前記筐体は、前記装填ユニットが引き出される引出口が開設されてあり、
前記装填ユニットは、前記筐体への収容時に引出口を閉蓋する蓋体を備え、
該蓋体は、前記装填ユニットの引き出し時に、前記装填面側と異なる方向へ可到する様に前記装填ユニットに取り付けてある
ことを特徴とする請求項２に記載の記録媒体装填装置。
【請求項４】
記録媒体の装填状況を表示する表示部を備えることを特徴とする請求項１乃至請求項３のいずれかひとつに記載の記録媒体装填装置。
【請求項５】
複数の挿入口が開設されていることを特徴とする請求項１乃至請求項４のいずれかひとつに記載の記録媒体装填装置。
【請求項６】
前記挿入口は、寸法が異なる記録媒体を装填可能であることを特徴とする請求項１乃至請求項５のいずれかひとつに記載の記録媒体装填装置。
【請求項７】
固定ディスクを用いた記録媒体が装填可能であることを特徴とする請求項１乃至請求項６のいずれかひとつに記載の記録媒体装填装置。
【発明の詳細な説明】
【技術分野】
【０００１】
本発明は、記録媒体を装填することが可能な記録媒体装填装置に関し、特に設置スペースの問題を解消する記録媒体装填装置に関する。
【背景技術】
【０００２】
着脱可能な記録媒体として、ＣＤ、ＭＤ、ＤＶＤ等の光記録媒体が普及している。また最近では、１０ＧＢ〜数１００ＧＢの大容量のデータを記録するリムーバルハードディスクが普及し始めている。
【０００３】
このような記録媒体を、様々な記録媒体装填装置に装填することで、記録媒体に対する情報の記録／読取を行うことができる。記録媒体装填装置として、例えば特許文献１には、複数の記録媒体を装填することが可能なオートチェンジャーが開示されている。
【特許文献１】実開平１−２３７３７号公報
【発明の開示】
【発明が解決しようとする課題】
【０００４】
しかしながら特許文献１に記載されている様な従来の記録媒体装填装置は、一般的に直方体状、板状等の形状をなす記録媒体の装填時に、記録媒体の各面に平行又は垂直になる面を有する直方体状に設計されている。従って例えば板状の記録媒体を垂直に立てて装填する記録媒体装填装置の場合、その高さは記録媒体の装填方向の高さに基づいて設計しなければならないため、装置の高さが高くなりがちであるという問題がある。
【０００５】
本発明は斯かる理由に鑑みてなされたものであり、記録媒体の装填方向を傾斜させることにより、装置の寸法に関する設計の自由度を高めることが可能な記録媒体装填装置の提供を目的とする。
【課題を解決するための手段】
【０００６】
本発明に係る記録媒体装填装置は、記録媒体を装填することが可能で、装填された記録媒体に対して情報の記録／読取を行う記録媒体装填装置において、記録媒体を装填する挿入口が開設された装填面を備え、前記挿入口からの記録媒体の装填方向は、前記装填面に対して傾斜していることを特徴とする。
【０００７】
本発明に係る記録媒体装填装置では、装填面に対して挿入口を傾斜させることにより、直方体状、板状等の形状の記録媒体を傾けた状態で装填することができるので、装填面に対して直角な方向の寸法を短くし、装置の寸法に関する設計の自由度を高めることが可能である。
【０００８】
本発明に係る記録媒体装填装置は、記録媒体の装填が可能な装填ユニットと、該装填ユニットを引出可能に収容する筐体とを備え、装填された記録媒体に対して情報の記録／読取を行う記録媒体装填装置において、前記装填ユニットは、記録媒体を装填する挿入口が開設され、引出方向に平行な装填面を備え、前記挿入口からの記録媒体を装填する装填方向は、前記装填面に対して、装填ユニットを押し込む方向へ傾斜していることを特徴とする。
【０００９】
本発明に係る記録媒体装填装置では、装填面に対して挿入口を傾斜させることにより、直方体状、板状等の形状の記録媒体を傾けた状態で装填することができるので、装填面に対して直角な方向の寸法を短くし、装置の寸法に関する設計の自由度を高めることが可能である。
【００１０】
本発明に係る記録媒体装填装置は、前記筐体は、前記装填ユニットが引き出される引出口が開設されてあり、前記装填ユニットは、前記筐体への収容時に引出口を閉蓋する蓋体を備え、該蓋体は、前記装填ユニットの引き出し時に、前記装填面側と異なる方向へ可到する様に前記装填ユニットに取り付けてあることを特徴とする。
【００１１】
本発明に係る記録媒体装填装置では、装填ユニットを引き出した時に、蓋体が装填面側と異なる方向へ可到することにより、装填面の周囲の空間が開放されるので、記録媒体の脱着操作を容易に行うことができる。
【００１２】
本発明に係る記録媒体装填装置は、記録媒体の装填状況を表示する表示部を備えることを特徴とする。
【００１３】
本発明に係る記録媒体装填装置では、表示部に装填状況を表示させることにより、装填ユニットを収容した状態でも記録媒体の装填状況を確認することが可能である。
【００１４】
本発明に係る記録媒体装填装置は、複数の挿入口が開設されていることを特徴とする。
【００１５】
本発明に係る記録媒体装填装置では、複数の記録媒体を挿入することが可能である。
【００１６】
本発明に係る記録媒体装填装置は、前記挿入口は、寸法が異なる記録媒体を装填可能であることを特徴とする。
【００１７】
本発明に係る記録媒体装填装置では、異なる寸法の記録媒体を装填することが可能である。
【００１８】
本発明に係る記録媒体装填装置は、固定ディスクを用いた記録媒体が装填可能であることを特徴とする。
【００１９】
本発明に係る記録媒体装填装置では、リムーバルハードディスク等の固定ディスクを装填することが可能である。
【発明の効果】
【００２０】
本発明に係る記録媒体装填装置は、リムーバルハードディスク等の記録媒体を装填可能な装填トレイ等の装填ユニットと、該装填ユニットを引出可能に収容する筐体とを備え、前記装填ユニットは、記録媒体を装填する挿入口が開設され、引出方向に平行な装填面を備え、前記挿入口から記録媒体を装填する装填方向は、前記装填面に対して傾斜している。
【００２１】
この構成により、本発明では、直方体状、板状等の形状の記録媒体を傾けた状態で装填することができるので、記録媒体装填装置において、装填面に対して直角な方向の寸法を短くすることができるので、寸法に関する設計の自由度を高めることが可能である等、優れた効果を奏する。またこれにより本発明では、寸法に関する設計の自由度を高めることにより、限られた設置スペースに対して対応可能な記録媒体装填装置を設計することが可能となる等、優れた効果を奏する。
【発明を実施するための最良の形態】
【００２２】
以下、本発明をその実施の形態を示す図面に基づいて詳述する。
【００２３】
実施の形態１．
図１及び図２は、本発明の実施の形態１における記録媒体装填装置の外観を示す斜視図であり、図１は記録媒体を装填する装填ユニットが引き出された状態を示し、図２は装填ユニットが収納された状態を示している。また図３は、本発明の実施の形態１における記録媒体装填装置の側断面図である。図中１０は、ディスクサーバ等の本発明の記録媒体装填装置であり、記録媒体装填装置１０は、直方体状をなし、複数の記録媒体２０，２０，…を装填可能なディスクトレイとして機能する装填ユニット１と、直方体状をなし、装填ユニット１を直線的に引出可能に収容する筐体２とを備えている。図１及び図３は、筐体２から装填ユニット１が実線で示す矢印の方向に引き出された状態を示しており、破線で示す矢印の方向に装填ユニット１を押し込むことにより、装填ユニット１は、筐体２に収容される。
【００２４】
なおここでは、記録媒体２０としてリムーバルハードディスク（着脱可能な固定ディスク）を用いる形態を説明するが、本発明の記録媒体装填装置１は、リムーバルハードディスクに限らず、ＣＤ、ＭＤ、ＤＶＤ、ブルーレイディスク等の様々な記録媒体の装填装置として適用することが可能である。
【００２５】
筐体２は、各面が、装填ユニット１の各面に対して夫々直角又は平行の関係になるように装填ユニット１を収容しており、筐体２の一面は、装填ユニット１が引き出される引出口が開設された引出面となっている。そして装填ユニット１の引出方向は、引出面に対して直角になるように形成されている。
【００２６】
また筐体２の引出面の下部には、収容状態にある装填ユニット１を引き出すための引出釦３が配設されており、操作者が、引出釦３を押下することにより、筐体２の内部に配設されているモータ４が駆動し、装填ユニット１が内部から押し出される。
【００２７】
直方体状をなす装填ユニット１において、引出方向に平行な一面は、記録媒体２０、２０，…を装填するための挿入口５，５，…が開設された装填面となっており、装填ユニット１の内部には、挿入口５，５，…から挿入される記録媒体２０，２０，…を装填する装填スロット６，６，…が凹設されている。なお挿入口５，５，…は、長方形状をなしており、挿入口５，５，…の長辺が夫々平行になる様に短辺方向に等間隔に並べて開設されている。
【００２８】
挿入口５から記録媒体２０を装填する装填方向は、装填面に対して傾斜しており、記録媒体２０を装填する方向が装填ユニット１の押し込み方向に傾き、記録媒体２０を引き出す方向が装填ユニット１の引出方向に傾いている。なお各挿入口５からの装填方向の角度は一定であり、各記録媒体２０，２０，…は、装填方向が平行になるように装填ユニット１に装填される。
【００２９】
挿入口５，５，…には、寸法が異なる記録媒体２０，２０，…を装填することが可能であり、例えばｉＶＤＲ規格に則して設計されたリムーバルハードディスクであれば、記録用ディスクとして１．８インチの金属円板を備える２０ＧＢのリムーバルハードディスク、又は２．５インチの金属円板を備える４０ＧＢ或いは８０ＧＢのリムーバルハードディスクを装填することが可能である。そして挿入口５，５，…から装填スロット６，６，…へ記録媒体２０，２０，…を装填することにより、記録媒体２０，２０，…に対する情報の記録／読み取りを行うことが可能となる。なお挿入口５から装填スロット６へ装填された状態の記録媒体２０は、挿入口５から一部が突出した状態となる。
【００３０】
また装填ユニット１には、筐体２への収容時に筐体２の引出口を閉蓋する蓋体７を有しており、蓋体７は、長方形の板状をなし、装填面に平行な揺動軸にて、装填ユニット１の引出方向側に揺動自在に軸支されている。そして装填ユニット１が筐体２から引き出された時に、蓋体７は、自重により装填面と異なる方向、図では下方へ可到することにより、操作者は装填面の周囲の空間が開放されるので、操作者は、記録媒体２０，２０，…の脱着操作を容易に行うことができる。
【００３１】
そして装填ユニット１の蓋体７又は筐体２の引出面には、各装填スロット６，６，…に対する記録媒体２０，２０，…の装填状況を表示するＬＥＤ等の表示部８，８，…が配設されている。また装填スロット６には、記録媒体２０の装填状況を検出する図示しない検出手段を備えており、検出手段が、装填スロット６に記録媒体２０が装填されたことを検出した場合、表示部８に通電する回路が閉じ、当該装填スロット６に対応する表示部８が点灯する。
【００３２】
実施の形態２．
図４は、本発明の実施の形態２における記録媒体装填装置１０の外観を示す斜視図であり、装填ユニット１が収容された状態を示している。実施の形態２は、装填ユニット１を複数備える構成であり、装填ユニット１，１が縦方向に２つ並び、蓋体７，７により閉蓋されている。なおその他の構成については実施の形態１と同様であるので、実施の形態１と同一符号を付し、実施の形態１を参照するものとし、その説明を省略する。
【００３３】
実施の形態３．
図５は、本発明の実施の形態３における記録媒体装填装置１０の外観を示す斜視図であり、装填ユニット１が収容された状態を示している。実施の形態３は、装填ユニット１を複数備える構成であり、装填ユニット１，１が横方向に２つ並び、蓋体７，７により閉蓋されている。なおその他の構成については実施の形態１と同様であるので、実施の形態１と同一符号を付し、実施の形態１を参照するものとし、その説明を省略する。
【００３４】
実施の形態４．
図６は、本発明の実施の形態４における記録媒体装填装置１０の外観を示す斜視図であり、装填ユニット１が引き出された状態を示している。実施の形態４は、装填ユニット１の引出方向に直角な方向へ傾斜して記録媒体２０，２０，…を装填する形態である。なおその他の構成については実施の形態１と同様であるので、実施の形態１と同一符号を付し、実施の形態１を参照するものとし、その説明を省略する。
【００３５】
前記実施の形態１乃至４の図では、装填ユニットの装填面が上方向を向く設置形態の記録媒体装填装置を示したが、本発明はこれに限らず、装填面が横方向を向く設置形態の記録媒体装填装置であっても良い等、様々な形態に展開することが可能である。
【図面の簡単な説明】
【００３６】
【図１】本発明の実施の形態１における記録媒体装填装置の外観を示す斜視図である。
【図２】本発明の実施の形態１における記録媒体装填装置の外観を示す斜視図である。
【図３】本発明の実施の形態１における記録媒体装填装置の側断面図である。
【図４】本発明の実施の形態２における記録媒体装填装置の外観を示す斜視図である。
【図５】本発明の実施の形態３における記録媒体装填装置の外観を示す斜視図である。
【図６】本発明の実施の形態４における記録媒体装填装置の外観を示す斜視図である。
【符号の説明】
【００３７】
１  装填ユニット
２  筐体
３  引出釦
４  モータ
５  挿入口
６  装填スロット
７  蓋体
８  表示部
１０  記録媒体装填装置
２０  記録媒体
【図１】
2007048333.tif 000003
【図２】
2007048333.tif 000004
【図３】
2007048333.tif 000005
【図４】
2007048333.tif 000006
【図５】
2007048333.tif 000007
【図６】
2007048333.tif 000008